(57)【要約】      （修正有） 【課題】一旦吸水保持された体液や排泄物の体圧による戻りを抑制しつつ、使用者の着衣、寝具の汚損を最小限にとどめる一方向性水分保持体を提供する。【解決手段】体液又は排泄物を吸水する為に用いられ、吸水面と非吸水面を有するシート状の水分保持体ａであって一方向透水性の第１層ａ−１から水分を透過しない第４層ａ−４の１又は複数が、繊維素材により形成され、保持された水分が、体圧がかかった状態で吸水面からにじみ出る事が無いように構成されている。一旦吸水後保水しつつ体圧での戻りは抑制しながら洗濯脱水出来、反復使用が可能である。【選択図】図１
0003217151.tif 000002
【実用新案登録請求の範囲】
【請求項１】
体液又は排泄物を吸収するために用いられ、吸水面と非吸水面を有するシート状の水分保持体であって、前記吸水面側から前記非吸水面に向かって透水性を有する第１層と、
内部に空気を含み透水性を有する第２層を透過した水分を吸収し、その内部に保持できる第３層と、水分を透過しない素材からなる第４層とが順次積層されており、
前記第１層から第４層の１又は複数は繊維素材により形成され、
前記第３層に保持された水分が、体圧がかかった状態で前記吸水面側からにじみ出ることがないように構成されている事を特徴とする一方向性水分保持体。
【請求項２】
ベッド、布団、車両座面等に固定化する為の擦留め防止係止部材を更に有する事を特徴とする請求項１記載の一方向性水分保持体。
【請求項３】
前記第１層に、天日干し時速乾性の挿通部分を設けた事を特徴とする請求項１又は２記載の一方向性水分保持体。
【請求項４】
前記請求項１記載の一方向性水分保持体は、吸水後最上面第１層内輪側に、最下層防水素材との継ぎ目を設けた漏水防止構造の一方向性水分保持体。
【請求項５】
人間又は動物の寝具、車両座面の排泄物等吸水用で有る前記請求項１記載の一方向性水分保持体。
【考案の詳細な説明】
【技術分野】
【０００１】
本考案は介護、看護、保育、ペット分野等で用いる事が出来、一旦吸水後は、
保水しつつ体圧では水分戻りが無く、洗濯脱水は出来る反復使用可能の
一方向性水分保持体に関するものである。
【背景技術】
【０００２】
介護看護現場、の排泄物による使用者の衛生的環境を目的とする発明や考案としては
次のようなものが公知となっている。
【先行技術文献】
【特許文献】
【０００３】
【特許文献１】特開２００１‐２０４６０９号公報
【特許文献２】特開平０７‐０３９５６４号公報
【特許文献３】特開２００２−２２４１７３号公報                                                                                                         しかしながら吸水目的としただけの上記特許文献１から３に記載のシーツには吸水した水分が体圧により再びにじみ出てしまい、着衣や寝具を汚損する恐れがあるという課題があった。
【考案の概要】
【考案が解決しようとする課題】
【０００４】
特許文献１記載の吸水シーツ特許文献２記載の吸水シーツは一旦水分吸水後の体圧での
戻りは解決出来無い為、排泄物が漏れ出て着衣寝具を汚損する恐れがある。
又  特許文献３の吸水シーツは使用の度に廃棄焼却する目的の為、地球温暖化問題を加速させる恐れが有る。
【０００５】
本考案はかかる課題に鑑みてなされたものであり、一旦吸水保持された体液や排泄物の
体圧による戻りを抑制しつつ、使用者の着衣、寝具の汚損を最小限にとどめる水分保持体を提供する事を目的とする。
【課題を解決するための手段】
【０００６】
前記課題に沿う本考案は、体液又は排泄物を吸水する為に用いられ、吸水面と非吸水面を有するシート状の水分保持体であって、前記吸水面側から前記非吸水面側に向かって、
透水性を有する第１層と内部に空気を含み透水性を有する第２層と、前記第１層及び
前記第２層を透過した水分を吸収しその内部に保持できる第３層と、水分を透過しない素材から成る第４層とが順次積層されており、前記第１層から第４層の１又は複数は、繊維素材により形成され前記第３層に保持された水分が、体圧がかかった状態で前記吸水面からにじみ出る事が無いよう構成されている事を特徴とする一方向性水分保持体を提供する事により上記課題を解決するものである。
【考案の効果】
【０００７】
本考案によれば一方向性吸水構造により、一旦吸水後は体圧での戻りが抑制される為
着衣寝具の汚損を抑制出来る。ベッド及び敷き布団等の全体を覆うシーツでは無く、
部分的に臀部を覆うよう埋設する為、交換時は使用者を横臥状態とし抜き取り交換が出来、
使用者をベッドから車いす等へ移乗させる事無く、容易に交換出来、介護者、看護者の
負担が大幅に軽減される。又車両座面用途として使用者の排泄物吐瀉物等を車両シート本体汚損させる事無く、移乗の際も前記一方向性水分保持体に体側部分を設け擦留め係止部材により車両シート本体座面からの脱落防止を抑制出来る。
【図面の簡単な説明】
【０００８】
【図１】本考案の一方向性水分保持体の基本構成を示す図である。
【図２】本考案の第１の実施の形態に係る一方向性水分保持体の基本構成を示す断面図である。
【図３】本考案の第１の実施の形態に係る基本構成を示す平面斜視図である。
【図４】本考案の第１の形態の形態に係る吊下状態立体図である。
【図５】本考案の第１の実施の形態の構成裏面図である。
【図６】本考案の第１の実施の形態に係る変形例である。
【図７】本考案の第１の実施の形態に係る図である。
【図８】本考案の第２の実施の形態に係る図である。
【考案を実施するための形態】
【０００９】
以下図面を参照して、本考案を実施する形態について説明する。なお、図中同一
又は同等の部分には同一の符号を付す。
【００１０】
図１に示すように、ａは一方向性水分保持体の積層構造図である。ａ‐１は透水性を有する第１層である一方向性素材である。ａ‐２は空気を含み透水性を有する第２層である。
ａ‐３は第１層a‐１及び第２層a‐２を透過した水分を吸収しその内部に保持出来る吸水素材から成る第３層である。a‐４は水分を透過しない素材から成る第４層である。
前記一方向性水分保持体交換方法は、使用者を横臥状態にし、一方向性吸水シーツの片側を巻き込み、体位変換反転させて抜き取るのが好ましい。また第１層素材は交換時のサインとなるよう水分に反応し色が変化する素材を用いても良い。
【００１１】
図２に示すようにｂはaの一方向性水分保持体の断面図である。
b‐１は透水性を有する第１層である。b‐２は空気を含み透水性を有する第２層で有る。
b‐３は第１層及びだ２層を透過した水分を吸収しその内部に保持出来る吸水素材から成る第３層である。b‐４は水分を透過しない素材から成る第４層である。
【００１２】
図３に示すようにｃは一方向性水分保持体のシーツの平面斜視図で有る。ｃ‐１は第１層縦方向に速乾性の為ｃ‐２の吊り下げフック用挿通孔を部分的に設けた帯状体を設置した図である。前記帯状体は一本でも良く、設置方向は使用者の手足が入らぬよう安全性の点から縦方向が好ましい。又挿通孔寸法はフックが通せれば良く使用者手足が入らぬよう狭くするのが好ましい。ｃ‐３は第１層と第３層の接ぎ目である。前記一方向性水分保持体
工法は帯状体は第１層と第２層をステッチで留め付け、周囲袋縫いが好ましい。前記一方向性水分保持体形状は長方形でも正方形でも円形でも使用者にとって使い勝手が良ければ形状は特に限定しない。
【００１３】
図４に示すようにｄはｂを吊り下げ干した立体図である。d‐１は第１層の一方向性素材と第４層防水素材の継ぎ目で有る。d‐２は吊り下げフック通しの為の帯状体部分挿通孔で有る。e‐１は擦留め防止用係止部材点在図で有る。
【００１４】
図５に示すようにeはcの裏面図で有り脱着が容易と成る様に、全体ベッドシーツの上に乗せe‐１の擦れ留め係止部材を四方端に点在配置した図である。
【００１５】
図６に示すようにfは第１の実施形態によるbの裏面図の変形例で有り、擦れ留め防止の為
全体に擦れ留め防止加工を施した図であり加工方法はエンボス加工等が好ましい。
【００１６】
図７に示すように全体ベッドシーツの上にbの一方向性水分保持体のシーツを部分的に使用者腰部下に敷設した図である。
【００１７】
図８に示すように第２の実施形態としてｈは車両座席とｂの一方向性水分保持体を設置しｈ‐２は乗降時に横方向への移乗による座面からの脱落防止の為、座面本体シートに沿う為の側面部を設け、交換の際脱着が容易に出来るようストレッチ性の高い素材を用いる事が好ましく、ｈ‐１は以上の際の擦れを抑制する為両体側部裏面に擦れ留め防止係止部材を設置した図で有る。また座席背もたれを前方に倒し座面との隙間に擦れ留め係止部材を挟み込み乗降時の脱落を抑止出来れば良く擦れ留め係止部材の形状は特に限定しない。
【符号の説明】
【００１８】
a. 一方向性水分保持体
a‐１. 第１層
a‐２. 第２層
a‐３. 第３層
a‐４. 第４層
b. 一方向性水分保持体断面図
ｃ.帯状体擦れ留め係止部材
ｃ‐１. 帯状体
ｃ‐２. 帯状体挿通孔
ｃ‐３.内輪 接ぎ目
ｅ.一方向性水分保持体裏面図
ｅ‐１.滑り留め防止係止部材
ｆ. 一方向性水分保持体裏面全体擦れ留め加工素材
ｆ‐１.滑り留めエンボス加工素材
ｇ.一方向性水分保持体ベッド敷設図
ｈ.一方向性水分保持体車両座席敷設図
ｈ‐１.車両座面体側部擦れ留め係止部材
ｈ‐２.車両座面体側部素材
【図１】
0003217151.tif 000003
【図２】
0003217151.tif 000004
【図３】
0003217151.tif 000005
【図４】
0003217151.tif 000006
【図５】
0003217151.tif 000007
【図６】
0003217151.tif 000008
【図７】
0003217151.tif 000009
【図８】
0003217151.tif 000010